(57)【要約】【課題】開閉扉タイプの入賞装置における球詰まり等の不具合を防止することを可能とした遊技機を提供する。【解決手段】遊技盤に打ち出された遊技球が入球可能な入球検出手段１６ａと、入球検出手段１６ａと連通する誘導室３０と、誘導室３０を遊技球が入球し難い閉状態から入球し易い開状態となるように開閉する開閉扉１６ｂと、を有する開閉式入賞装置において、誘導室３０は、一方の横端縁から中心側に向かうにつれて開口部からの距離が漸増する傾斜面３１ａを有し、開閉扉１６ｂは、遊技球をガイド可能な段差面４４ａを有する開扉面１６ｂ上から突出した突出段差部４４を備え、段差面４４ａに沿って遊技球を誘導室３０内に誘導する第１の経路Ａと、遊技球を傾斜面３１ａに沿って誘導し第１の経路Ａと合流する第２の経路Ｂと、が形成される。【選択図】図８
2014117370.tif 000002
【特許請求の範囲】
【請求項１】
遊技盤に打ち出された遊技球が入球可能な入球検出手段と、該入球検出手段と連通する開口部と、該開口部を遊技球が入球し難い閉状態から入球し易い開状態となるように開閉する開閉扉と、を有する開閉式入賞装置において、
前記開閉扉は、下端縁側を支点として上端縁側を前後方向に回動することにより前記開口部を開閉するように構成され、
前記開口部の内奥部における内壁面は、一方の横端縁から中心側に向かうにつれて前記開口部からの距離が漸増する傾斜面を有し、
前記開閉扉は、開状態において遊技領域に露出する裏面に設けられて遊技球をガイド可能なガイド部と、前記裏面から突出した突出部と、を備え、前記ガイド部により遊技球を前記開口部内に誘導し、又は前記突出部と前記開口部内の前記傾斜面とにより遊技球を前記開口部内に誘導することを特徴とする開閉式入賞装置。
【発明の詳細な説明】
【技術分野】
【０００１】
本発明は、遊技機に用いられる大入賞装置等の開閉式入賞装置に関するものである。
【背景技術】
【０００２】
パチンコ遊技機等の遊技機にあっては、遊技盤面に入賞装置、風車、可変表示装置、電飾装置等の各種盤面部品を設けて遊技内容の多様性を図り、遊技の進行中における入賞、その他の状況変化を契機として各種盤面部品を動作させる等により、演出効果を高めている。
遊技機に設けられる入賞装置としては、所定の条件下において開成状態となる開閉扉を有する開閉扉タイプの開閉式入賞装置が知られている。
このような開閉式入賞装置としては、例えば、特別遊技状態の一つである大当たり状態の時に開成状態となる開閉扉を有する開閉扉タイプの大入賞装置がある。
例えば、特許文献１には、遊技盤面に形成された横長の入賞用開口部と連通する大入賞口と、大入賞口の下縁に沿って配置された開閉軸によって下部を支持されて（上下）方向へ回動することによって大入賞口を開閉する開閉扉と、を備えた大入賞装置が記載されている。
【先行技術文献】
【特許文献】
【０００３】
【特許文献１】特開２０１２−１１５４５４公報
【発明の概要】
【発明が解決しようとする課題】
【０００４】
ところで、特許文献１に記載されるような従来の開閉式入賞装置は、以下のような問題点を抱えていた。
図１０は、従来の開閉式入賞装置における問題点を説明する図であり、開閉式入賞装置の例としての大入賞装置を示している。
図１０（ａ）は、大入賞装置の大入賞口５００を開閉する開閉扉５０１が開放された状態を示す図、図１０（ｂ）は、開閉扉５０１によって閉止された状態を示す概略図である。
図１０（ａ）の開放状態において、開閉扉５０１上の一端側に遊技球が落下した場合、図１０（ｂ）の閉止状態では、大入賞口５００内の誘導路５０２に複数の遊技球が滞留し、互いに干渉してスムースに他端側の大入賞口検出スイッチ５０３側にスムースに流れない場合がある。こうした場合、誘導路５０２内で球詰まりが発生し、遊技の続行に支障を来す虞がある。
本発明は、上記のような問題を鑑みてなされたものであり、開閉扉タイプの入賞装置における入賞開口内の球詰まり等の不具合を防止することを目的とする。
【課題を解決するための手段】
【０００５】
本発明は、上述の課題を解決するためになされたものであり、本発明の第１の形態に係る遊技機は、  遊技盤に打ち出された遊技球が入球可能な入球検出手段と、該入球検出手段と連通する開口部と、該開口部を遊技球が入球し難い閉状態から入球し易い開状態となるように開閉する開閉扉と、を有する開閉式入賞装置において、前記開閉扉は、下端縁側を支点として上端縁側を前後方向に回動することにより前記開口部を開閉するように構成され、前記開口部の内奥部における内壁面は、一方の横端縁から中心側に向かうにつれて前記開口部からの距離が漸増する傾斜面を有し、前記開閉扉は、開状態において遊技領域に露出する裏面に設けられて遊技球をガイド可能なガイド部と、前記裏面から突出した突出部と、を備え、前記ガイド部により遊技球を前記開口部内に誘導し、又は前記突出部と前記開口部内の前記傾斜面とにより遊技球を前記開口部内に誘導する開閉式入賞装置を特徴とする。
【発明の効果】
【０００６】
上記のように構成したので、本発明によれば、開閉扉タイプの入賞装置における球詰まり等の不具合を防止することが出来る。
【図面の簡単な説明】
【０００７】
【図１】本発明の実施形態に係る遊技機の正面図。
【図２】図１の遊技機における遊技盤の正面図。
【図３】本実施形態の遊技機の遊技制御を行う遊技制御装置の構成を示したブロック図。
【図４】本実施形態に係るパチンコ遊技機における大入賞装置周辺を拡大して示す図。
【図５】本実施形態に係るパチンコ遊技機における大入賞装置の特徴的な構成を説明する図。
【図６】本実施形態の第１大入賞装置における大入賞口内の誘導通路の構成について詳述する図（第１大入賞装置の開閉扉が開放された状態）。
【図７】本実施形態の第１大入賞装置における大入賞口内の誘導通路の構成について詳述する図（第１大入賞装置の開閉扉が閉止された状態）。
【図８】本実施形態における大入賞装置の入賞開口部（大入賞口）内の構成及び大入賞口内の遊技球の移動経路を説明する図。
【図９】本実施形態の大入賞装置における開口部内壁面の背面側の構成を説明する上面図。
【図１０】従来の遊技機における大入賞口の開閉扉周辺の構成を説明する図。
【発明を実施するための形態】
【０００８】
以下、本発明を図面に示した実施の形態により詳細に説明する。
図１は本発明の実施形態に係る遊技機の一例としてのパチンコ遊技機の構成例を示した全体正面図であり、図２は遊技盤の正面図である。
図１において、パチンコ遊技機１は、遊技店の島設備に取り付けられる外枠３００と、その外枠３００により回動可能に支持されたガラス枠３１０と、が備えられている。ガラス枠３１０の後方（裏面側）には遊技球が流下する遊技領域３が形成された遊技盤２が設けられている。
ガラス枠３１０は、遊技盤２の前方（遊技者側）において遊技領域３を視認可能に覆うガラス板（図示しない）を支持している。
また、ガラス枠３１０には、回動操作されることにより遊技領域３に向けて遊技球を発射させる操作ハンドル３１１と、音声出力装置（スピーカ）３１２と、複数のランプを有する上下の演出用照明装置３１３ａ、３１３ｂと、押圧操作により演出態様を変更させるための演出ボタン３１４と、左右の演出用可動照明装置３２０Ｌ、３２０Ｒが設けられている。演出用可動照明装置３２０Ｌ、３２０Ｒは、ガラス枠３１０の左上隅及び右上隅に設けられている。
演出用可動照明装置３２０Ｌ、３２０Ｒは、図示しない可動照明部を備えており、図１に示す可動照明部を収納（閉塞）した状態から可動照明部を開放（突出）した状態に自動的に変動させることができるように構成されている。
【０００９】
さらに、ガラス枠３１０の下側には、受皿ユニット３１５が設けられている。受皿ユニット３１５には、複数の遊技球を貯留する球皿部が設けられており、この球皿部は、操作ハンドル３１１の方向側に遊技球が流下するように下りの傾斜を有している。そして、遊技者が操作ハンドル３１１を回動させると、遊技球が遊技領域３に発射されることとなる。
上記のようにして発射された遊技球がレール５ａ、５ｂ間を上昇して玉戻り防止片５ｃを超えると、遊技領域３に到達し、その後遊技領域３内を落下する。このとき、遊技領域３に設けられた複数の釘や風車によって、遊技球は予測不能に落下することとなる。
【００１０】
次に、遊技盤２の遊技領域３の構成について説明する。
図２において、遊技領域３には、複数の一般入賞口１８が設けられている。これら各一般入賞口１８に遊技球が入賞すると、所定の賞球（例えば１０個の遊技球）が払い出される。
また、遊技領域３の中央下側の領域には、遊技球が入球可能な始動領域を構成する第１始動口（第１始動手段）１３が設けられている。
【００１１】
また、遊技領域３の右側領域には、第２始動口（第２始動手段）１４が設けられている。
この第２始動口１４は、開閉扉１４ｂを有しており、開閉扉１４ｂが閉状態に維持される第１の態様と、開閉扉１４ｂが開状態となる第２の態様とに可動制御される。従って、第２始動口１４は、第１の態様にあるときには遊技球の入賞機会がなく、第２の態様にあるときには遊技球の入賞機会が増すこととなる。
【００１２】
ここで、第１始動口１３には遊技球の入球を検出する第１始動口スイッチ１３ａ（図３参照）が設けられ、第２始動口１４には遊技球の入球を検出する第２始動口スイッチ１４ａ（図３参照）が設けられている。そして、第１始動口スイッチ１３ａ又は第２始動口スイッチ１４ａが遊技球の入球を検出すると、特別図柄判定用乱数値等を取得し、後述する大当たり遊技を実行する権利獲得の抽選（以下、「大当たり抽選」という）が行われる。また、第１始動口スイッチ１３ａ又は第２始動口スイッチ１４ａが遊技球の入球を検出した場合には、所定の賞球（例えば３個の遊技球）が払い出される。
なお、本実施形態の遊技機１では、第１始動口１３又は第２始動口１４に遊技球が入球した場合、通常は例えば３個程度の払い出し（賞球）を行うようにしているが、始動口への遊技球の入球に伴う賞球は必ずしも行う必要は無い。
【００１３】
また、第２大入賞口１７は、遊技盤２に形成された開口部から構成されている。この第２大入賞口１７の下部には、遊技盤面側からガラス板側（前面側）に突出可能な開閉扉１７ｂを有しており、この開閉扉１７ｂが遊技盤面側に突出する開放状態と、遊技盤面に埋没する閉鎖状態とに可動制御される。そして、開閉扉１７ｂが遊技盤面に突出していると、遊技球を第２大入賞口１７内に導く受け皿として機能し、遊技球が第２大入賞口１７に入球可能となる。この第２大入賞口１７には第２大入賞口検出スイッチ１７ａが設けられており、この第２大入賞口検出スイッチ１７ａが遊技球の入球を検出すると、予め設定された賞球（例えば１５個の遊技球）が払い出される。
なお、第２大入賞口１７は、大当たり遊技中の所定ラウンドにおいて遊技球が入球した時に、検出スイッチによる入球検知を契機として、大当たり後の遊技状態（高確率状態又は低確率状態）を決定する抽選が行われる遊技状態確定用の大入賞口として使用されても良い。
このような大入賞口（大入賞装置）の場合は、特に球詰まりや遊技球の滞留が発生すると遊技状態の移行に影響が発生し、それにより遊技球（出玉）の獲得に大きな影響が生じる虞が強い。従って、本実施形態に示す技術を採用して、遊技球の流れを阻害することなくスムースに行えるようにすることは、特に顕著な効果を奏する。
【００１４】
さらに、上記飾り部材６の右側の領域には、遊技球が通過可能な補助図柄用のゲート１５と、遊技球が入球可能な第１大入賞口１６とが設けられている。
このため、操作ハンドル３１１を大きく回動させ、強い力で打ち出された遊技球でないと、ゲート１５と第１大入賞口１６とには遊技球が、通過又は入賞しないように構成されている。
ゲート１５には、遊技球の通過を検出するゲートスイッチ１５ａ（図３参照）が設けられており、このゲートスイッチ１５ａが遊技球の通過を検出すると、補助図柄判定用乱数値を取得し、後述する「補助図柄の当たり抽選」が行われる。
【００１５】
第１大入賞口１６は、通常は第１大入賞口の開閉扉１６ｂによって閉状態に維持されており、遊技球の入球を不可能としている。これに対して、所定の特別遊技が開始されると、第１大入賞口の開閉扉１６ｂが開放されるとともに、この第１大入賞口の開閉扉１６ｂが遊技球を第１大入賞口１６内に導く受け皿として機能し、遊技球が第１大入賞口１６に入球可能となる。第１大入賞口１６には第１大入賞口検出スイッチ１６ａ（図３参照）が設けられており、この第１大入賞口検出スイッチ１６ａが遊技球の入球を検出すると、予め設定された賞球（例えば１５個の遊技球）が払い出される。
なお、第１大入賞口１６及び開閉扉１６ｂ、第１大入賞口検出スイッチ１６ａは、後述する他の要素ととともに第１大入賞装置１００を構成している。
【００１６】
第２大入賞口１７は、通常は第２大入賞口の開閉扉１７ｂによって閉状態に維持されており、遊技球の入球を不可能としている。これに対して、所定の特別遊技が開始されると、第２大入賞口の開閉扉１７ｂが開放されるとともに、この第２大入賞口の開閉扉１７ｂが遊技球を第２大入賞口１７内に導く誘導路として機能し、遊技球が第２大入賞口１７に入球可能となる。第２大入賞口１７には第２大入賞口検出スイッチ１７ａ（図３参照）が設けられており、この第２大入賞口検出スイッチ１７ａが遊技球の入球を検出すると、予め設定された賞球（例えば１５個の遊技球）が払い出される。
なお、第２大入賞口１７及び開閉扉１７ｂ、第２大入賞口検出スイッチ１７ａは、他の要素ととともに第２大入賞装置１０５を構成している。
【００１７】
さらには、遊技領域３の最下部の領域には、一般入賞口１８、第１始動口１３、第２始動口１４、第１大入賞口１６および第２大入賞口１７のいずれにも入球しなかった遊技球を排出するためのアウト口１９が設けられている。
【００１８】
また、遊技領域３の中央には開口部３Ａが形成されており、開口部３Ａの周縁に沿って遊技球の流下に影響を与える飾り部材６が設けられている。この飾り部材６の略中央部分（開放部）であって遊技盤の背面側には、液晶表示装置等からなる画像表示装置７が設けられている。
【００１９】
この画像表示装置７は、遊技が行われていない待機中に画像を表示したり、遊技の進行に応じた画像を表示したりする。なかでも、後述する大当たり抽選の結果を報知するための演出図柄として、第１図柄８ａ、第２図柄８ｂ、第３図柄８ｃという３個の演出図柄８が表示され、特定の演出図柄８の組合せ（例えば、７７７等）が停止表示されることにより、大当たり抽選結果として大当たりが報知される。
具体的には、第１始動口１３又は第２始動口１４に遊技球が入球したときには、３個の演出図柄８をそれぞれスクロール表示するとともに、所定時間経過後に当該スクロールを停止させて、演出図柄８を停止表示するものである。また、この演出図柄８の変動表示中に、さまざまな画像やキャラクタ等を表示することによって、大当たりに当選するかもしれないという高い期待感を遊技者に与えるようにもしている。
【００２０】
さらに、上記の各種の演出装置に加えて、音声出力装置３１２は、ＢＧＭ（バックグランドミュージック）、ＳＥ（サウンドエフェクト）等を出力し、サウンドによる演出を行い、演出用照明装置３１３ａ、３１３ｂは、各ランプの光の照射方向や発光色を変更して、照明による演出を行うようにしている。
【００２１】
図１、図３に示すように、遊技盤２の左下方には、後述する第１特別図柄表示装置２０、第２特別図柄表示装置２１、補助図柄表示装置２２、第１特別図柄保留表示器２３、第２特別図柄保留表示器２４、補助図柄保留表示器２５、ラウンド回数表示器２６等の表示領域９が設けられている。
上記第１特別図柄表示装置２０は、第１始動口１３に遊技球が入球したことを契機として行われた大当たり抽選の結果を報知するものである。第２特別図柄表示装置２１は、第２始動口１４に遊技球が入球したことを契機として行われた大当たり抽選の結果を報知するためのものである。
【００２２】
ここで、「大当たり抽選」とは、第１始動口１３又は第２始動口１４に遊技球が入球したときに、特別図柄判定用乱数値を取得し、取得した特別図柄判定用乱数値が「大当たり」に対応する乱数値であるか、「小当たり」に対応する乱数値であるかの判定する処理をいう。この大当たり抽選の結果は即座に遊技者に報知されるわけではなく、第１特別図柄表示装置２０において特別図柄が点滅等の変動表示を行い、所定の変動時間を経過したところで、大当たり抽選の結果に対応する特別図柄が停止表示して、遊技者に抽選結果が報知されるようにしている。なお、特別図柄判定用乱数値については後述する。
【００２３】
また、本実施形態において「大当たり」というのは、第１始動口１３又は第２始動口１４に遊技球が入球したことを条件として行われる大当たりの抽選において、大当たり遊技を実行する権利を獲得したことをいう。「大当たり遊技」においては、第１大入賞口１６又は第２大入賞口１７が開放されるラウンド遊技を計１５回行う。各ラウンド遊技における第１大入賞口１６又は第２大入賞口１７の最大開放時間については予め定められた時間が設定されており、この間に第１大入賞口１６又は第２大入賞口１７に所定個数の遊技球（例えば９個）が入球すると、１回のラウンド遊技が終了となる。つまり、「大当たり遊技」は、第１大入賞口１６又は第２大入賞口１７に遊技球が入球するとともに、当該入球に応じた賞球を遊技者が獲得できる遊技である。大当たりにおけるラウンド遊技回数はラウンド回数表示器２６により表示される。
なお、この大当たり遊技には、複数種類の大当たりが設けられているが、詳しくは後述する。
【００２４】
また、補助図柄表示装置２２は、ゲート１５を遊技球が通過したことを契機として行われる補助図柄の抽選結果を報知するためのものである。詳しくは後述するが、この補助図柄の抽選によって当たりに当選すると補助図柄表示装置２２が点灯し、その後、上記第２始動口１４が所定時間、第２の態様に制御される。
ここで、「補助図柄の抽選」とは、ゲート１５に遊技球が通過したときに、補助図柄判定用乱数値を取得し、取得した補助図柄判定用乱数値が「当たり」に対応する乱数値であるかどうかの判定する処理をいう。
この補助図柄の抽選結果についても、ゲート１５を遊技球が通過して即座に抽選結果が報知されるわけではなく、補助図柄表示装置２２において補助図柄が点滅等の変動表示を行い、所定の変動時間を経過したところで、補助図柄の抽選結果に対応する補助図柄が停止表示して、遊技者に抽選結果が報知されるようにしている。
【００２５】
さらに、特別図柄の変動表示中や後述する特別遊技中等、第１始動口１３又は第２始動口１４に遊技球が入球して、即座に大当たりの抽選が行えない場合には、一定の条件のもとで、大当たりの抽選の権利が保留される。より詳細には、第１始動口１３に遊技球が入球したときに取得された特別図柄判定用乱数値を第１保留として記憶し、第２始動口１４に遊技球が入球したときに取得された特別図柄判定用乱数値を第２保留として記憶する。
これら両保留は、それぞれ上限保留個数を４個に設定し、その保留個数は、それぞれ第１特別図柄保留表示器２３と第２特別図柄保留表示器２４とに表示される。
そして、補助図柄の上限保留個数も４個に設定されており、その保留個数が、上記第１特別図柄保留表示器２３および第２特別図柄保留表示器２４と同様の態様によって、補助図柄保留表示器２５において表示される。
【００２６】
受皿ユニット３１５の上面には、一般的にチャンスボタンと呼ばれる演出ボタン３１４が配置されている。演出ボタン３１４の操作は、演出ボタンスイッチ３１４ａ（図２参照）が設けられており、例えば遊技中における特定のリーチ演出に際し、演出ボタン３１４の操作を促すガイダンスが画像表示装置７に表示されている間有効となる。
【００２７】
次に、本実施形態の遊技機の遊技制御を行う遊技制御装置について説明する。
図３は、本実施形態の遊技機の遊技制御を行う遊技制御装置の構成を示したブロック図である。
この図３に示す遊技制御装置には、遊技の進行を制御する主制御基板として遊技制御基板２１１が設けられている。また副制御基板として、演出制御基板２２１、画像制御基板２３１、ランプ制御基板２４１、払出制御基板２５１等が設けられている。
遊技制御基板２１１は、ＣＰＵ２１２、ＲＯＭ２１３、及びＲＡＭ２１４等を有し、当該遊技機の主たる制御を行う。
遊技制御基板２１１には、第１始動口１３内に設けられた第１始動口スイッチ（ＳＷ）１３ａ、第２始動口１４内に設けられた第２始動口ＳＷ１４ａ、第２始動口１４の開閉扉１４ｂを開閉動作させるための第２始動口ソレノイド（ＳＯＬ）１４ｃ、ゲート１５内に設けられたゲートＳＷ１５ａ、第１大入賞口１６に入賞した遊技球を検出する第１大入賞口ＳＷ１６ａ、第１大入賞口の開閉扉１６ｂを開閉動作させるための第１大入賞口ソレノイド（ＳＯＬ）１６ｃ、第２大入賞口１７に入賞した遊技球を検出する第２大入賞口ＳＷ１７ａ、第２大入賞口の開閉扉１７ｂを開閉動作させるための第２大入賞口ソレノイド（ＳＯＬ）１７ｃ、一般入賞口１８内に設けられた一般入賞口ＳＷ１８ａ等が接続されている。
【００２８】
また遊技制御基板２１１には、第１特別図柄の変動と表示を行う第１特別図柄表示装置２０、第２特別図柄の変動と表示を行う第２特別図柄表示装置２１、補助図柄の変動と表示を行う補助図柄表示装置２２が接続されている。
第１特別図柄表示装置２０及び第２特別図柄表示装置２１は、特別図柄を変動表示させ所定時間経過後に当該変動表示を停止させることにより特別図柄が当たりに当選したか否かを表示する。また、補助図柄表示装置２２は、遊技球がゲートＳＷ１５ａを通過したときに、補助図柄を変動表示させ所定時間経過後に当該変動表示を停止させることにより補助図柄が当たりに当選したか否かを表示する。
【００２９】
更に遊技制御基板２１１には、第１特別図柄の変動表示を開始させる権利（保留球）の保留個数を表示する第１特別図柄保留表示器２３、第２特別図柄の変動表示を開始させる権利の保留個数を表示する第２特別図柄保留表示器２４、補助図柄が変動中に遊技球がゲート１５を通過したときに、ゲート１５の通過によって得られる補助図柄の変動表示を開始させる権利の保留個数を表示する補助図柄保留表示器２５、ラウンド回数表示器２６等が接続されている。
遊技制御基板２１１は、第１特別図柄の保留球と第２特別図柄の保留球とが共に保留されている場合は、第２特別図柄の保留球を優先的に消化するように構成されている。勿論、第１特別図柄と第２特別図柄の保留球を入賞順に消化するように構成してもよい。
【００３０】
更に遊技制御基板２１１には、演出制御基板２２１、払出制御基板２５１、及び盤用外部情報端子基板２６０等が接続されている。
演出制御基板２２１は、ＣＰＵ２２２、ＲＯＭ２２３、ＲＡＭ２２４、ＲＴＣ（リアルタイムクロック）２２５等を有し、遊技演出全体の制御を行う。
演出制御基板２２１には、画像及び音声の制御を行う画像制御基板２３１、各種ランプ及び演出役物の制御を行うランプ制御基板２４１、及び演出ボタンスイッチ３１４ａが接続されている。
画像制御基板２３１は、ＣＰＵ２３２、ＲＯＭ２３３、ＲＡＭ２３４等を有し、演出制御基板２２１の指示に基づいて、画像及び音声の制御を行う。このため、画像制御基板２３１には、画像表示装置７と、音声出力装置（スピーカ）３１２とが接続されている。
【００３１】
ランプ制御基板２４１は、ＣＰＵ２４２、ＲＯＭ２４３、ＲＡＭ２４４等を有し、演出制御基板２２１の指示に基づいて、演出用の可動装置や照明装置等の制御を行う。このため、ランプ制御基板２４１には、演出用照明装置３１３（３１３ａ、３１３ｂ）、演出用可動照明装置３２０（３２０Ｌ、３２０Ｒ）等が接続されている。
【００３２】
払出制御基板２５１は、ＣＰＵ２５２、ＲＯＭ２５３、ＲＡＭ２５４等を有し、遊技球払出装置の払出モータ２５５、払出球検出ＳＷ２５６、球有り検出ＳＷ２５７、満タン検出ＳＷ２５８等の制御を行う。
また払出制御基板２５１には、枠用外部情報端子基板２７０が接続されている。
盤用外部情報端子基板２６０は、遊技盤の各種情報を外部に出力するための端子基板である。また枠用外部情報端子基板２７０は、枠の各種情報を外部に出力するための端子基板である。
【００３３】
以下に、本実施形態に係る遊技機の特徴的な構成について説明する。
なお、本実施形態の特徴は、開閉式入賞装置の一例としての第１大入賞装置１００、第２大入賞装置１０５に共通して適用可能な構成である。
しかしながら、以下の説明では、特に第１大入賞装置１００の場合を例にとって説明する。さらに、本実施形態の特徴は、大入賞装置に限らず、開閉扉によって開閉されるタイプのその他の入賞口や始動口であれば、適宜適用可能である。
【００３４】
図４は、本実施形態に係るパチンコ遊技機における大入賞口（大入賞装置）周辺を拡大して示す図である。
図４に示すように、遊技盤２の右側下方領域に配置された第１大入賞口１６（以下、単に大入賞口１６と記載する）は、所謂右打ちをされて図４中上側から流下する遊技球が右端側から入球するように構成されている。
【００３５】
図５乃至図７は、本実施形態に係るパチンコ遊技機における第１大入賞装置（開閉式入賞装置）の特徴的な構成を説明する図である。
図５は、本実施形態の第１大入賞装置１００と遊技盤２との関係を示した図である。また、図６、図７は、本実施形態の第１大入賞装置１００における大入賞口内の誘導通路の構成について詳述する図である。なお、図６は、第１大入賞装置の開閉扉が開放された状態を示し、図７は、第１大入賞装置の開閉扉が閉止された状態を示している。
なお、図５に図示する本実施形態の第１大入賞装置１００は、第２大入賞装置１０５、第１始動口１３や一般入賞口等と一体化されているが、他の装置についての説明はここでは省略している。また、以下の説明では、第１大入賞装置を単に大入賞装置と記載する。
【００３６】
図６、図７に示すように、開閉扉１６ｂは、開閉扉１６ｂが閉状態の時に誘導室３０の内壁面３２と対向し、且つ、開状態の時には、遊技領域３に露出して遊技領域３を流下してくる遊技球を誘導室３０内にガイド可能な裏面４２ａ（図６）と、その反対側の面であって開閉扉１６ｂの閉状態時に正面から視認可能な表面４２ｂを備えている
図５及び図７に示すように、本実施形態に係る大入賞装置１００は、遊技球が入球可能な開口部である大入賞口１６と、大入賞口１６と連通して遊技球を大入賞口検出スイッチ１６ａに誘導する誘導室３０と、誘導室３０に遊技球が入球し難い閉状態から入球し易い開状態となるように大入賞口１６を開閉する開閉扉１６ｂを備えている。また、誘導室３０内の一方の横端部（図中左側）には、遊技球検出手段としての大入賞口検出スイッチ１６ａが誘導室３０の一側側方に設けられている（誘導室３０は大入賞口検出スイッチ１６ａと連通している）。
また、誘導室３０は、閉状態にある開閉扉１６ｂの裏面４２ａと対向する内壁面３０ａと、遊技球が通過可能な内底面３０ｂと、を備えている。
【００３７】
図５に示すように、本実施形態の大入賞装置１００は、遊技盤２の背面側に配置されており、大入賞口１６は遊技盤２に設けられた入賞用開口２ａと連通している。図４に示すように遊技盤２の盤面上を流下してきた遊技球は、図５、図７に示すように開閉扉１６ｂが開状態である時に、遊技盤２の入賞用開口２ａから大入賞装置内（誘導室３０）に進入し、大入賞口検出スイッチ１６ａに向けて移動する。
【００３８】
開閉扉１６ｂは、（閉状態における）下端縁４０を支点として、上端縁４１が前後方向に動作するように回動することにより大入賞口１６を開閉するように構成されている。
また、誘導室３０は、開口上面としての天井部３３を備えており、この天井部３３の前縁部（大入賞口１６の上縁部）と開閉扉１６ｂによって、大当たり遊技中のインターバル期間（遊技球が入球してはならない期間である）に大入賞口１６内に遊技球が入球しないように大入賞口１６を閉止するようになっている。
【００３９】
ここで、図６、図７を用いて開閉扉１６ｂを開閉する機構について説明する。
開閉扉１６ｂは、大入賞装置１００のベース部材に設けた軸受け部１０１に嵌合する回動軸４５を中心として回動する。また、開閉扉１６ｂ本体の一側部から後方へ突出する側板４６から側方へ突出したピン４７を備えている。
また、開閉扉１６ｂを開閉させる駆動力を発生する大入賞ソレノイド１６ｃが、図５、図６、図８に示すように、内壁面３０ａの背面側に配置されている。
【００４０】
大入賞口ソレノイド１６ｃは、ソレノイド本体６０と、ソレノイド本体６０かから左右方向に出没するプランジャ６１と、プランジャ６１を突出方向に付勢するコイルバネ６３とを備えている。
大入賞口ソレノイド１６ｃは、図示しない制御手段からの制御信号によってオン・オフ制御されて、オン時にはコイルバネ６３に抗してプランジャ６１を引っ込ませる。
大入賞口ソレノイド１６ｃによる駆動力によって開閉扉１６ｂを開閉駆動する駆動機構は、開閉扉１６ｂのピン４７を移動自在に勘合する長穴４８と、上下方向へ回動自在に軸支される軸部４９を備える回動部材５０を備えている。
大入賞口ソレノイド１６ｃのオン・オフに伴うプランジャ６１の出没動作によって回動部材５０を、軸部４９を中心に回動させることにより、開閉扉１６ｂを開閉させる。
【００４１】
図８は、本実施形態における大入賞装置の入賞開口部（大入賞口）内の構成及び大入賞口内の遊技球の移動経路を説明する図である。
図８に示すように、誘導室３０は、閉状態にある開閉扉１６ｂの裏面４２ａと対向する内壁面３０ａを備えており、この内壁面３０ａは、遊技球が進入する横端部３１ａから中心側（大入賞口検出スイッチ１６ａが設けられる横端部３１ｂ側）に向かうにつれて開閉扉１６ｂとの距離（幅）（すなわち、大入賞口１６からの距離）が漸増する傾斜面３２を有している。
さらに、開閉扉１６ｂは、その裏面４２ａにおける傾斜面３２と対向する領域における横端部３１ａから中心側（大入賞口検出スイッチ１６ａ側）に向かうにつれて下端縁４０からの幅が漸減するように形成された段差部（突出段差部）４４を備えている。
この突出段差部４４は、下端縁４０からの幅がこのように設定されていることで、開閉扉１６ｂが閉状態の場合における上端縁４１側から下端縁４０側に傾斜する傾斜辺４４ａを有する。
【００４２】
前記したように本実施形態の遊技機は大当たり遊技中において、遊技領域の右側を狙って遊技球を発射する所謂右打ちを行う。
従って、図８（ａ）のように開閉扉１６ｂが開成する場合、遊技球は開閉扉１６ｂの裏面４２の右端縁４３側に落下して開閉扉１６ｂの裏面４２ａ上を右側から左側に進み、大入賞口検出スイッチ１６ａに至る。
図８（ａ）に示す本実施形態の大入賞装置における遊技球の通過経路は、主に以下の２つの経路が存在する。
メイン経路となる第１の経路Ａは、右端縁４３側の開閉扉１６ｂの裏面４２ａ上に落下した遊技球Ｘが、右側の突出段差部４４の上記傾斜片４４ａの形成方向に沿って（ガイドされて）開閉扉１６ｂの裏面４２ａ上を進んで誘導室３０内に至る経路である。すなわち、突出段差部４４の傾斜片４４ａは、開閉扉１６ｂからの段差面が遊技球を誘導するガイド部として作用する。遊技球Ｘは、その後誘導室３０内を図中左側に進んで大入賞口検出スイッチ１６ａに至る経路Ｃを辿る。
開閉扉１６ｂ上で弾むなどして左側の突出段差部４４から誘導室３０内に進入する遊技球も存在するが、ごくまれであり、本実施形態の趣旨とは異なるので、ここでは特に説明をしない。
【００４３】
サブ経路となる第２の経路Ｂは、開閉扉１６ｂの裏面４２ａにおける右端縁４３に落下した一部の遊技球Ｙが、傾斜片４４ａ側に至らずに突出段差部４４に乗り上げ、誘導室３０の右端部３１ａ側から誘導室３０内に進入して大入賞口検出スイッチ１６ａ側に進む経路である。その後遊技球Ｙは、上記経路Ｃに合流して大入賞口検出スイッチ１６ａに到達する。
この第２の経路において、本実施形態の大入賞装置の誘導室３０に設けられた傾斜面３２が特徴的な効果を呈する。
すなわち、第２の経路において遊技球Ｙは傾斜面３２に沿って流れるが、突出段差部４４上を傾斜面３２に沿って同時に移動可能な遊技球は一つのみである。すなわち、傾斜面３２と突出段差部４４によって、遊技球の誘導通路８０が形成されることになる。この誘導通路８０の存在によって、第２の経路Ｂにおいては、進行方向を規制された遊技球Ｙの流れが生じる（仮に、突出段差部４４上において、傾斜面３２との間に２つ以上の遊技球が流れようとしても、傾斜面３２から遠い側の遊技球は、突出段差部４４から落下して経路Ａを辿るのみである）。図１０に示すように誘導室の右端部において遊技球の滞留が生じることはない。
【００４４】
経路Ｂによって進行方向を規制され、また進行方向を整えられた遊技球Ｙは、経路Ｃに合流する際には、経路Ａから誘導室３０内に進入する遊技球Ｘに接触し、遊技球Ｘを大入賞口スイッチ１６ａ側に押し出す働きをする。
これにより、経路Ａと経路Ｃの合流位置付近で、経路Ａからの遊技球が滞留することなく、誘導室内の球詰まりの発生を効果的に防止出来る。
また、傾斜辺４４ａを傾けて配置（上端縁４１側から視認した時にハの字型）する事で、右端縁４３から第１の経路Ａに流れる遊技球の数を多くすると共に開閉扉１６ｂ上で遊技球の流れ（移動方向）を規制することができる。これにより、第１の経路Ａは、第２の経路Ｂよりも優先して多くの遊技球を流すことができ、しかも大入賞装置内での遊技球の滞留と球詰まりを防止することができる。
なお、図８（ａ）では開閉扉１６ｂが開成した状態を示しているが、開閉扉１６ｂが閉じかけて傾斜した状態にあっても、図８(ａ)の場合と同様に作用する。
【００４５】
さらに、図８（ｂ）に示すように、開閉扉１６ｂに遊技球を残した状態で、開閉扉１６が閉じた場合にあっても、傾斜面３２及び突出段差部４４は、閉状態にある誘導室３０内において一方の横端部３１ａから他方の横端部３１ｂ側に遊技球を誘導する誘導通路８０を構成する。
図８（ａ）の場合と同様に、誘導通路８０は、遊技球が一つのみ通過可能な幅となっている。
従って、開閉扉１６ｂが閉じた時に経路Ａから誘導室３０内に落下した遊技球であっても、経路Ｂから流れてきていた遊技球Ｙと接触することで、誘導室３０内にわだかまり（滞留し）、相互に干渉して遊技球が詰まったりする等の不具合なしに入球検知センサ１６ａに向けて移動可能である。
また、突出段差部４４の形状は、開閉扉１６ｂが図８（ｂ）のような状態にあるとき、開閉扉１６ｂ上に落下した遊技球を誘導室３０の内底面３０ｂ側に誘導するレールのように作用する。従って、誘導通路８０内の遊技球をスムースに誘導することができる。
【００４６】
図９は、本実施形態の大入賞装置における開口部内壁面の背面側の構成を説明する上面図である。
図９に示すように、大入賞装置１００の誘導室３０の内壁面３０ａは横端部３１ａ側から上記したような傾斜面３２となっており、これにより傾斜面３２の背面側に空きスペースが確保されている。
従って、本実施形態の遊技機の大入賞装置１００では、奥行き側への厚みを大きく増やすことなく、誘導室３０の背面側に大入賞口ソレノイド１６ｃを設置することが可能となっている。
従来、大入賞装置１００の厚みを薄く維持しようとする場合、誘導室３０の下方や横側等にソレノイドを設ける必要があり、大入賞装置それ自体の装置サイズは大型化していた。しかしながら、本実施形態においては、図９に示すような構成として、大入賞装置１００を全体として小型化することが可能である。
【符号の説明】
【００４７】
１６  第１大入賞口（開口部）、１６ａ  第１大入賞口検出スイッチ（入球検出手段）、１６ｂ  開閉扉、１７  第２大入賞口（開口部）、１７ａ  第２大入賞口検出スイッチ（入球検出手段）、１７ｂ  開閉扉、３０  誘導室、３０ａ  内壁面、３２  傾斜面、３３  天井部、４０  下端縁、４１  上端縁、４２ａ  裏面、４４  突出段差部、４４ａ  傾斜片（ガイド部）、８０  誘導通路、Ａ  第１の経路、Ｂ  第２の経路
【図１】
2014117370.tif 000003
【図２】
2014117370.tif 000004
【図３】
2014117370.tif 000005
【図４】
2014117370.tif 000006
【図５】
2014117370.tif 000007
【図６】
2014117370.tif 000008
【図７】
2014117370.tif 000009
【図８】
2014117370.tif 000010
【図９】
2014117370.tif 000011
【図１０】
2014117370.tif 000012